(57)【要約】【課題】特定の給水設備からの吐水が他の給水設備からの吐水に優先されるため、給水圧が低い地域などにおいても特定の給水設備から常に十分な量の吐水を行うことができる給水システムを提供する。【解決手段】水栓２２，３２による水の合計吐水量（ｆ１＋ｆ２）がゼロ又は少量のときは流量調節弁１０の開度を１００％とし、中量のときは流量調節弁１０の開度を５０％とし、多量のときは流量調節弁１０の開度を１０％とする。水の合計吐水量（ｆ１＋ｆ２）が中量又は多量のときは流量調節弁１０の開度が制限されるため、洋風便器１２を水洗しても水栓２２，３２からの吐水量が十分に確保される。【選択図】  図１
2004225268.tif 000002
【特許請求の範囲】
【請求項１】
給水幹管と、該給水幹管に対しそれぞれ給水枝管を介して連なる少なくとも１つの第１の給水設備及び少なくとも１つの第２の給水設備とを有する給水システムにおいて、
該第１の給水設備の使用を検知する検知手段と、
該検知手段からの検知信号に基づいて該第２の給水設備への給水を制限する制限手段と、
を備えたことを特徴とする給水システム。
【請求項２】
請求項１において、前記第１の給水設備からの吐水量を検知する手段が設けられており、前記制限手段は、該第１の給水設備からの吐水量に応じて前記制限手段を作動させることを特徴とする給水システム。
【請求項３】
請求項１又は２において、前記第１の給水設備は水栓であり、前記第２の給水設備は便器であることを特徴とする給水システム。
【請求項４】
請求項３において、前記便器は便器洗浄水を貯留するタンクを備えており、
前記制限手段は、水栓からの吐水量に応じて該タンクへの給水量を減少させるものであることを特徴とする給水システム。
【請求項５】
請求項３において、前記便器は水道給水圧によって洗浄水を便器に流す水道直圧式便器であり、
前記制限手段は、水栓からの吐水量が所定量以上になった場合に便器への給水を停止するものであることを特徴とする給水システム。
【請求項６】
請求項５において、該便器の洗浄水供給を行なう電気駆動式弁と、該電気駆動式弁を開弁させるための洗浄スイッチと、前記制限手段による給水停止期間中の該洗浄スイッチの操作を記憶する記憶手段とが設けられており、
前記制限手段は、前記水栓からの吐水量が前記所定量よりも少なくなった後、便器への給水停止を解除し且つ該電気駆動式弁を開弁させて便器洗浄を行うよう構成されていることを特徴とする給水システム。
【請求項７】
請求項１ないし６のいずれか１項において、前記制限手段が給水制限動作中であることを示す表示手段が設けられていることを特徴とする給水システム。
【発明の詳細な説明】
【０００１】
【発明の属する技術分野】
本発明は給水システムに係り、特に給水幹管に対し複数の給水設備が連なっている給水システムに関するものである。
【０００２】
【従来の技術】
一般家庭の給水システムにあっては、給水幹管に対しそれぞれ給水枝管を介して水栓や便器等の複数の給水設備が連なっている構成となっていることが多い。これらの給水設備のうち、例えば便器への単位時間当たりの給水量は水栓への単位時間当たりの給水量よりも多いので、給水幹管が細い場合、あるいは水道水圧が低い地域などにあっては、便器洗浄動作中に他の給水設備への給水圧が低下し、該給水設備からの吐水が細くなることがある。
【０００３】
なお、特許第２８３３１２７号には、便器への給水管に定流量弁を設け、給水圧力にかかわらず便器への給水量を定量化することが記載されているが、水栓からの吐水を十分なものとするための構成は記載されていない。
【０００４】
【特許文献１】
特許第２８３３１２７号公報
【０００５】
【発明が解決しようとする課題】
本発明は、給水圧が低い地域などにおいても特定の給水設備からは常に十分な量の吐水が行われる給水システムを提供することを目的とする。
【０００６】
【課題を解決するための手段】
本発明の給水システムは、給水幹管と、該給水幹管に対しそれぞれ給水枝管を介して連なる少なくとも１つの第１の給水設備及び少なくとも１つの第２の給水設備とを有する給水システムにおいて、該第１の給水設備の使用を検知する検知手段と、該検知手段からの検知信号に基づいて該第２の給水設備への給水を制限する制限手段と、を備えたことを特徴とするものである。
【０００７】
かかる給水システムによると、第１の給水設備の使用中には第２の給水設備への給水が制限されるので、第１の給水設備からの吐水量が十分なものとなる。
【０００８】
本発明では、第１の給水設備からの吐水量を検知する手段が設けられており、制限手段は、第１の給水設備からの吐水量に応じて制限手段を作動させるものであることが好ましい。このようにすれば、第１の給水設備から所定量以上の水を吐水させるときだけ第２の給水設備への給水が制限され、第１の給水設備から少量の水を吐水させるときには第２の給水設備に通常通り給水することができる。
【０００９】
第１の給水設備が水栓であり、第２の給水設備がロータンク等のタンクを備えた便器であるときには、制限手段は水栓からの吐水量に応じてこのタンクへの給水量を減少させるものであることが好ましい。
【００１０】
便器が水道給水圧によって洗浄水を便器に供給する水道直圧式便器である場合には、便器給水量を少なくすると洗浄不良となるおそれがあるので、この場合には、水栓からの吐水量が所定量以上となったときには便器への給水を停止することが好ましい。
【００１１】
便器が水道直圧式便器であるときには、便器の洗浄水供給を行う電気駆動式弁と、該電気駆動式弁を開弁させるための洗浄スイッチと、制限手段による給水停止期間中の該洗浄スイッチの操作を記憶する記憶手段とが設けられており、制限手段は、前記水栓への給水量が前記所定量よりも少なくなった後、便器への給水停止を解除し且つ該電気駆動式弁を開弁させて便器洗浄を行うよう構成してもよい。
【００１２】
このように構成した場合には、便器への給水停止期間中に便器洗浄スイッチを操作してあるときには、便器給水停止が終了すると自動的に便器洗浄が実行されるので、便器洗浄忘れが防止される。
【００１３】
本発明では、制限手段が給水制限動作中であることを示す表示手段が設けられていることが望ましい。この表示により給水設備使用者が給水停止期間中であることを認識することにより、断水あるいは洗浄機構に故障が生じたものと誤解することが防止される。
【００１４】
【発明の実施の形態】
以下、図面を参照して実施の形態について説明する。図１は実施の形態に係る給水システムの概要を示す構成図である。
【００１５】
給水幹管２からは、３本の給水枝管４，６，８が分岐している。給水枝管４は、電動式の流量調節弁１０を介して洋風便器１２に設置されたロータンク１４のボールタップ１６に接続されている。
【００１６】
ロータンク１４には便器水洗用のハンドル１８が設けられている。ロータンク１４内には、図示はしないが周知のフロート弁装置が設けられている。
【００１７】
給水枝管６は、流量計２０を介してキッチン水栓２２に接続されている。給水枝管８は、流量計３０を介してバス水栓３２に接続されている。
【００１８】
流量計２０，３０により計測された流量値は、制御回路４０に入力される。この制御回路４０からは、流量調節弁１０に向けて開度制御信号が出力される。
【００１９】
このように構成された給水システムの作動内容について以下に説明する。
【００２０】
キッチン水栓２２による水の吐水量ｆ１とバス水栓３２による水の吐水量ｆ２とは、各々流量計２０，３０によって計測され、これらの値は制御回路４０に入力される。制御回路４０は、キッチン水栓２２及びバス水栓３２による水の合計吐水量（ｆ１＋ｆ２）に応じて給水枝管４の流量調節弁１０の開度を制御する。表１に示す通り、この実施の形態では、水栓２２，３２による水の合計吐水量（ｆ１＋ｆ２）がゼロ又は少量（１Ｌ／ｍｉｎ未満）のときは流量調節弁１０の開度を１００％とし、水の合計吐水量（ｆ１＋ｆ２）が中量（１Ｌ／ｍｉｎ超５Ｌ／ｍｉｎ未満）のときは、流量調節弁１０の開度を５０％とし、水の合計吐水量（ｆ１＋ｆ２）が多量（５Ｌ／ｍｉｎ以上）のときは、流量調節弁１０の開度を１０％とする。
【００２１】
【表１】
2004225268.tif 000003
【００２２】
洋風便器１２の使用者がハンドル１８を回すと、フロート弁装置のフロート弁体が引き上げられて弁座部から離れ、この弁座部内を通ってロータンク１４内の水が洋風便器１２内に放出される。ロータンク１４内の水位が低下すると、フロート弁体が弁座部に着座して水の洋風便器１２への放出が停止し、ボールタップ１６からロータンク１４内に水が流入する。
【００２３】
このように給水枝管４に水が流れると、給水枝管６，８への給水圧が低下し、流量調節弁１０の開度が１００％のままであるとキッチン水栓２２、バス水栓３２からの吐水量が減少することになる。そこで、この実施の形態では、キッチン水栓２２とバス水栓３２による水の合計吐水量（ｆ１＋ｆ２）に応じて表１に示すように水栓２２，３２の水の合計吐水量（ｆ１＋ｆ２）が中量（１Ｌ／ｍｉｎ超５Ｌ／ｍｉｎ未満）のときは、流量調節弁１０の開度を５０％に制限し、水栓２２，３２からの吐水量を十分なものとする。水栓２２，３２の水の合計吐水量（ｆ１＋ｆ２）が多量（５Ｌ／ｍｉｎ以上）のときは、流量調節弁１０の開度をさらに小さく（例えば１０％）するため、水栓２２，３２からの吐水量が十分に確保される。なお、その後、水栓２２，３２の水の合計吐水量（ｆ１＋ｆ２）が５Ｌ／ｍｉｎ未満又はゼロになると、流量調節弁１０の開度が５０％又は１００％となり、ロータンク１４内に水が貯留される。
【００２４】
なお、上記の閾値としての１Ｌ／ｍｉｎ、５Ｌ／ｍｉｎや、開度５０％、１０％は一例であり、給水管径や、給水元圧、水栓の設置数などに応じて適宜選定される。水栓は洗面水栓などであってもよい。
【００２５】
また、本実施の形態では、表１に示す通り流量調節弁１０の開度を３段階に制御したが、これに限定はなく、２段階あるいは４段階以上としてもよい。
【００２６】
ロータンクに手洗鉢が設けられている場合、ロータンクへの給水を制限したときには、手洗吐水管への給水をロータンク本体への給水よりも優先させるようにしてもよい。
【００２７】
この実施の形態にあっては、流量調節弁１０の開度を制限する場合、その旨の表示（例えば液晶表示、ランプ表示、音声表示など）を行うようにしてもよい。これにより、断水あるいはボールタップ故障等と誤認することが防止される。
【００２８】
図２は別の実施の形態に係る給水システムを示す構成図である。図２の給水システムにおいては、給水幹管２から給水枝管４が分岐しており、この給水枝管４は電磁式の開閉弁１０Ａ、流量計５０及びフラッシュ弁１７を介して水道直圧式の洋風便器１２Ａに接続されている。流量計５０の信号は制御回路４０に入力されている。
【００２９】
この給水システムにおいても、図１の給水システムと同様に、キッチン水栓２２による水の吐水量ｆ１とバス水栓３２による水の吐水量ｆ２とが各々流量計２０，３０によって計測され、これらの値が制御回路４０に入力される。
【００３０】
この実施の形態では、キッチン水栓２２及びバス水栓３２が使用されていないか又は少量吐水即ち水の合計吐水量（ｆ１＋ｆ２）が比較的少量（５Ｌ／ｍｉｎ未満）のときには、制御回路４０は開閉弁１０Ａを開のままとする。この状態で洋風便器１２Ａの使用者がフラッシュ弁１７のハンドル１７Ａを操作すると、給水幹管２から給水枝管４を介して洋風便器１２Ａ内に水が放出し、便器１２Ａ内が水洗される。この場合、フラッシュ弁１７の開弁に伴って、水栓２２及び／又は水栓３２からの吐水量は減少するが、元々の使用量が少ないので、水栓使用者にはさほどの不便はない。なお、この場合、水栓２２及び／又は水栓３２の開度を少し増大させるだけで使用量を回復させることができる。
【００３１】
一方、給水枝管４に水が流れていない状態にあるときにキッチン水栓２２及びバス水栓３２による水の合計吐水量（ｆ１＋ｆ２）が比較的多量（５Ｌ／ｍｉｎ超）になると、制御回路４０は開閉弁１０Ａを閉とする。そのため、洋風便器１２Ａの使用者がフラッシュ弁１７のハンドル１７Ａを操作しても洋風便器１２Ａへの水の供給はされず、洋風便器１２Ａの水洗は行われない。従って、水栓２２及び／又は水栓３２からはそれまでと同量の多量吐水が継続して行われる。
【００３２】
この実施の形態にあっては、電磁式開閉弁１０Ａが閉止状態のときに水洗が不能である旨の表示をするようにするのが好ましい。この場合、使用者は断水や、便器１２Ａ、フラッシュ弁１７等の故障ではないことを認識することができる。
【００３３】
フラッシュ弁１７を操作して給水枝管４中に水が流れている便器洗浄途中において水栓２２，３２の合計吐水量（ｆ１＋ｆ２）が５Ｌ／ｍｉｎ以上になった場合には、開閉弁１０Ａは開のままとし、便器洗浄を完了させ、便器洗浄不良が発生しないようにする。
【００３４】
図２では、フラッシュ弁１７は手動操作式であるが、リモコンや便座ボックスに設けられ、フラッシュ用スイッチの操作によって開弁する電動式フラッシュ弁であってもよい。この電動式フラッシュ弁の場合には、流量計５０を省略し、フラッシュ用スイッチの操作信号に基づいて便器洗浄中であることを検知するのが好ましい。
【００３５】
本発明では第２の給水設備は便器であるが、他の給水設備であってもよい。
【００３６】
【発明の効果】
以上の通り、本発明の給水システムによると、給水圧が低い地域などにおいても特定の給水設備から常に十分な量の吐水を行うことができる。
【図面の簡単な説明】
【図１】実施の形態に係る給水システムを示す構成図である。
【図２】別の実施の形態に係る給水システムを示す構成図である。
【符号の説明】
２  給水幹管
４，６，８  給水枝管
１０  流量調節弁
１０Ａ  開閉弁
１２  洋風便器
１４  ロータンク
１６  ボールタップ
１７  フラッシュ弁
１７Ａ  ハンドル
１８  ハンドル
２０，３０，５０  流量計
２２  キッチン水栓
３２  バス水栓
４０  制御回路
【図１】
2004225268.tif 000004
【図２】
2004225268.tif 000005